(57)【要約】【解決課題】  読取装置の読取サイズの限度を超えた原稿を複数回で読み取って合成する場合に、当該合成専用のマーカーの付与をなくすことで作業効率を向上させ、かつ、発信元へ不要な情報が送信されることを防止する。【解決手段】  スキャナ２２で１回で読み取ることができない読取限界を超えたサイズの原稿を分割して読み取って、後で合成する場合の基準として、必ず付与されるトンボ６６を基準として分割したて読み取った画像を合成するようにしたため、改めて合成のためだけのマーカーを付与する必要がなくなり作業効率が向上すると共に、印刷会社１２Ａ側へ不要な情報を送信することがないため、誤植の抑制につながる。【選択図】  図４
2006094218.tif 000002
【特許請求の範囲】
【請求項１】
原稿画像の画像範囲外の周縁部に、印刷基準用の印刷基準マークを付与する印刷基準マーク付与手段と、
前記印刷基準マーク付与手段による印刷基準マークの付与によりサイズアップした範囲を印刷範囲として記録用紙へ印刷する印刷制御手段と、
前記印刷制御手段でサイズアップして印刷された記録用紙のサイズが、読取限界サイズを超えている場合に、当該記録用紙を分割して読み取る読取手段と、
前記読取手段で分割して読み取った前記記録用紙におけるそれぞれの画像データを、前記印刷基準用の印刷基準マークを利用して合成する合成手段と、
を有する画像処理装置。
【請求項２】
周辺機器として、原稿画像を読み取る読取装置、及び画像データに基づいて、記録用紙へ印刷する印刷装置が接続され、発信元から受けた校正前原稿画像を前記印刷装置で印刷すると共に、校正を施した校正後原稿画像を前記読取装置で読み取って、前記発信元へ返送するための画像処理装置であって、
発信元から受けた校正前原稿画像の画像範囲外の周縁部に、印刷基準用の印刷基準マークであるトンボを付与するトンボ付与手段と、
前記トンボ付与手段によるトンボの付与によりサイズアップした範囲を印刷範囲として記録用紙へ印刷する印刷制御手段と、
前記印刷制御手段でサイズアップして印刷された記録用紙のサイズが、前記読取装置における読取限界サイズを超えている場合に、当該記録用紙を分割して読み取るように指示する分割指示手段と、
前記分割指示手段による分割指示の下で、分割して読み取った前記記録用紙におけるそれぞれの画像データを、前記印刷基準用のトンボを利用して合成する合成手段と、
を有する画像処理装置。
【請求項３】
前記印刷基準用のトンボが、画像の四隅角部及び各辺の中央部に対応して付与されるようになっており、前記四隅角部のトンボが原稿の傾きを調整する指針として適用され、前記中央部のトンボが原稿の天地左右方向を調整する指針として適用されることを特徴とする請求項２記載の画像処理装置。
【請求項４】
原稿画像の画像範囲外の周縁部に、印刷基準用の印刷基準マークを付与し、
印刷装置により、前記印刷基準マークの付与によりサイズアップした範囲を印刷範囲として記録用紙へ印刷し、
前記サイズアップして印刷された記録用紙のサイズが、読取装置における読取限界サイズを超えている場合に、分割して読み取った前記記録用紙におけるそれぞれの画像データを、前記印刷基準用の印刷基準マークを利用して合成することを特徴とする原稿処理方法。
【請求項５】
原稿画像を読み取る読取装置と、画像データに基づいて、記録用紙へ印刷する印刷装置と、発信元から受けた校正前原稿画像を前記印刷装置で印刷すると共に、校正を施した校正後原稿画像を前記読取装置で読み取って、前記発信元へ返送する原稿送受信装置と、を備えた画像処理装置を用いた校正原稿処理方法であって、
前記原稿送受信装置により、前記発信元から受けた校正前原稿画像の画像範囲外の周縁部に、印刷基準用のトンボを付与し、
前記印刷装置により、前記トンボの付与によりサイズアップした範囲を印刷範囲として記録用紙へ印刷し、
前記サイズアップして印刷された記録用紙のサイズが、前記読取装置における読取限界サイズを超えている場合に、分割して読み取った前記記録用紙におけるそれぞれの画像データを、前記印刷基準用のトンボを利用して合成することを特徴とする校正原稿処理方法。
【請求項６】
前記印刷基準用のトンボが、画像の四隅角部及び各辺の中央部に対応して付与されるようになっており、前記四隅角部のトンボが原稿の傾きを調整する指針として適用され、前記中央部のトンボが原稿の天地左右方向を調整する指針として適用されることを特徴とする請求項５記載の校正原稿処理方法。
【発明の詳細な説明】
【技術分野】
【０００１】
本発明は、分割して読み取った画像データを合成するための画像処理装置及び原稿処理方法、並びに周辺機器として、原稿画像を読み取る読取装置、及び画像データに基づいて、記録用紙へ印刷する印刷装置が接続され、発信元から受けた校正前原稿画像を前記印刷装置で印刷すると共に、校正を施した校正後原稿画像を前記読取装置で読み取って、前記発信元へ返送するための画像処理装置及び校正原稿処理方法に関するものである。
【背景技術】
【０００２】
印刷分野におけるデジタル化として、ＤＴＰ（Desktop  Publishing）化が浸透している。ＤＴＰは、パーソナルコンピュータ（ＰＣ）などの画像処理装置上で、画像の作成、加工、編集等を行うことでページレイアウトを作成する。印刷を行うときには、作成したページレイアウトに基づいて印刷版を露光するためのフィルムの作成を行ったり（ＣＥＰＳ）、印刷版を直接露光する（ＣＴＰ：Computer  to  Plate）ことで印刷用の刷版を作成する。
【０００３】
一方、実際の印刷処理に先立って校正等を行うときには、ＷＹＳＩＷＹＧ機能を用いて、画像処理装置などのモニタに表示したページレイアウトを、ページプリンタ等の印刷出力装置によって印刷出力して、カラープルーフを作成する（カンプ出力）。
【０００４】
また、校正作業は、カラープルーフなどを印刷会社から印刷物の発注者（依頼主）などに渡して、校正を行ってもらう。このときには、カラープルーフに赤入れ等によって修正指示を書き込んで（赤入れ）、修正指示を書き込んだ修正原稿（赤入れ原稿）を作成し、修正原稿を印刷会社などへ渡すことにより修正指示が行われる。
【０００５】
近年、ネットワークの普及と、汎用プリンタの高機能化や色再現性の向上に伴い、リモートカラープルーフが用いられることがある。このリモートカラープルーフでは、印刷会社で作成したページレイアウトなどの画像データを発注者へ伝送し、発注者側は、プリンタを用いて印刷処理を行うことにより、この画像データに応じたカラープルーフを作成する。すなわち、画像データを発注者に渡すことにより、発注者がカラープルーフを出力し、出力したカラープルーフを用いて修正原稿を作成するようにしている。
【０００６】
また、リモートカラープルーフでは、発注者が修正原稿を印刷会社に送るときに、ファクシミリを用いるか、修正原稿をスキャナ等によって読み込んで、修正原稿の画像データを作成した後、この修正原稿の画像データを印刷会社へ伝送する。
【０００７】
ここで、例えば、印刷会社（発信元）から受け取って出力するカラープルーフは、原稿画像がＡ３サイズ（ＪＩＳ規格）の場合、当該原稿画像の周囲にトンボを付与したり、修正箇所の指摘或いは修正内容を手書き入力するためのスペースを設けて印刷される。従って、記録用紙は、Ａ３サイズよりも大きいサイズ（Ａ３ノビ（１３×１８）等、以下、総称してＡ３超サイズという。）が用いられることいなる。
【０００８】
このような、Ａ３超サイズを印刷することが可能なプリンタや複写機は一般的であり、印刷すること自体に問題はない。
【０００９】
しかし、このＡ３超サイズを発注者から印刷会社（発信元）へ返送する場合、スキャナ（読取装置）によって読み取って、伝送することになるが、汎用のスキャナの読取サイズは、そのほとんどがＡ３サイズが限度であるため、上記のようなＡ３超サイズを１回のスキャンで読み取ることができないのが現状である。このため、複数回に分けてスキャンした画像を、別々に伝送する必要がある。
【００１０】
そこで、原稿にトンボとは別に、色マーカーをつけて、当該原稿を複数回に分けてスキャナで読み取り、この色マーカーを基準として合成することが提案されている（特許文献１参照）。
【００１１】
これによれば、複数回に分けて読み取った画像の位置決めを色マーカーによって確実に行うことができる。
【特許文献１】特開平５−１２２５０１号公報
【発明の開示】
【発明が解決しようとする課題】
【００１２】
しかしながら、上記特許文献１では、複数回に分けて読み取った画像の合成のためだけに色マーカーを付与する必要があり、この色マーカーを付与するための作業が煩雑となる。
【００１３】
また、印刷会社（発信元）へ返送した原稿に不要な色マーカーが付与されてしまい、この不要な情報（合成のための色マーカー）に起因して、印刷に誤植を発生させる原因となる。
【００１４】
本発明は上記事実を考慮し、読取装置の読取サイズの限度を超えた原稿を複数回で読み取って合成する場合に、当該合成専用のマーカーの付与をなくすことで作業効率を向上させ、かつ、発信元へ不要な情報が送信されることを防止することができる画像処理装置及び校正原稿処理方法を得ることが目的である。
【課題を解決するための手段】
【００１５】
（１）  第１の発明は、原稿画像の画像範囲外の周縁部に、印刷基準用の印刷基準マークを付与する印刷基準マーク付与手段と、前記印刷基準マーク付与手段による印刷基準マークの付与によりサイズアップした範囲を印刷範囲として記録用紙へ印刷する印刷制御手段と、前記印刷制御手段でサイズアップして印刷された記録用紙のサイズが、読取限界サイズを超えている場合に、当該記録用紙を分割して読み取る読取手段と、前記読取手段で分割して読み取った前記記録用紙におけるそれぞれの画像データを、前記印刷基準用の印刷基準マークを利用して合成する合成手段と、を有している。
【００１６】
第１の発明によれば、読取手段で分割して読み取った記録用紙におけるそれぞれの画像のデータを、前記トンボを利用して位置決めし、合成する（合成手段）。
【００１７】
これにより、印刷基準マークは、合成のためだけではないことが好ましく、言い換えれば、合成のためだけの基準用マーク等を付与することによる、作業効率の低下を防止することができる。
【００１８】
（２）  第１の発明は、周辺機器として、原稿画像を読み取る読取装置、及び画像データに基づいて、記録用紙へ印刷する印刷装置が接続され、発信元から受けた校正前原稿画像を前記印刷装置で印刷すると共に、校正を施した校正後原稿画像を前記読取装置で読み取って、前記発信元へ返送するための画像処理装置であって、発信元から受けた校正前原稿画像の画像範囲外の周縁部に、印刷基準用の印刷基準マークであるトンボを付与するトンボ付与手段と、前記トンボ付与手段によるトンボの付与によりサイズアップした範囲を印刷範囲として記録用紙へ印刷する印刷制御手段と、前記印刷制御手段でサイズアップして印刷された記録用紙のサイズが、前記読取装置における読取限界サイズを超えている場合に、当該記録用紙を分割して読み取るように指示する分割指示手段と、前記分割指示手段による分割指示の下で、分割して読み取った前記記録用紙におけるそれぞれの画像データを、前記印刷基準用のトンボを利用して合成する合成手段と、を有している。
【００１９】
第２の発明によれば、トンボ付与手段により、発信元から受け取った校正前原稿には、トンボが付与されて印刷される。このとき、印刷される記録用紙のサイズが読取装置の読取サイズを超えている場合、読取装置による１回の読み取りでは、全ての画像を読み取ることができない。
【００２０】
そこで、分割指示手段により分割読取を指示することで、この分割指示の下では、分割して読み取った記録用紙におけるそれぞれの画像のデータを、前記トンボを利用して位置決めし、合成する（合成手段）。
【００２１】
これにより、合成のためだけに、合成基準用マーク等を付与する必要がなくなり、作業効率が向上する。
【００２２】
また、合成基準用マーク等を付与した場合、印刷には不要な情報であるため、発信元へ返送してしまうと、この不要な情報に起因して印刷に誤植を発生させる場合があったが、本第２の発明では、不要の情報は一切存在しないため、誤植の防止にもつながる。
【００２３】
さらに、分割された原稿は、確実に元の画像として復活することができ、例えば、発信元への送信の際には、１回の送信で済む。
【００２４】
上記第２の発明において、前記印刷基準用の印刷基準マークであるトンボが、画像の四隅角部及び各辺の中央部に対応して付与されるようになっており、前記四隅角部のトンボが原稿の傾きを調整する指針として適用され、前記中央部のトンボが原稿の天地左右方向を調整する指針として適用されることを特徴としている。
【００２５】
トンボは、原稿の四隅角部と各辺の中央部とに設けられており、四隅角部のトンボを原稿の傾きを調整する指針として用いる。一方、中央部のトンボを原稿の天地左右方向を調整する指針として用いる。
【００２６】
これにより、合成の精度を高めることができる。
【００２７】
（３）  第３の発明は、原稿画像の画像範囲外の周縁部に、印刷基準用の印刷基準マークを付与し、印刷装置により、前記印刷基準マークの付与によりサイズアップした範囲を印刷範囲として記録用紙へ印刷し、前記サイズアップして印刷された記録用紙のサイズが、読取装置における読取限界サイズを超えている場合に、分割して読み取った前記記録用紙におけるそれぞれの画像データを、前記印刷基準用の印刷基準マークを利用して合成することを特徴としている。
【００２８】
第３の発明によれば、分割して読み取った記録用紙におけるそれぞれの画像のデータを、印刷基準マークを利用して位置決めし、合成する。
【００２９】
印刷基準マークは、合成のためだけではないことが好ましく、言い換えれば、合成のためだけの基準用マーク等を付与することによる、作業効率の低下を防止することができる。
【００３０】
（４）  第４の発明は、原稿画像を読み取る読取装置と、画像データに基づいて、記録用紙へ印刷する印刷装置と、発信元から受けた校正前原稿画像を前記印刷装置で印刷すると共に、校正を施した校正後原稿画像を前記読取装置で読み取って、前記発信元へ返送する原稿送受信装置と、を備えた画像処理装置を用いた校正原稿処理方法であって、前記原稿送受信装置により、前記発信元から受けた校正前原稿画像の画像範囲外の周縁部に、印刷基準用のトンボを付与し、前記印刷装置により、前記トンボの付与によりサイズアップした範囲を印刷範囲として記録用紙へ印刷し、前記サイズアップして印刷された記録用紙のサイズが、前記読取装置における読取限界サイズを超えている場合に、分割して読み取った前記記録用紙におけるそれぞれの画像データを、前記印刷基準用のトンボを利用して合成することを特徴としている。
【００３１】
第４の発明によれば、発信元から受け取った校正前原稿には、トンボが付与されて印刷される。このとき、印刷される記録用紙のサイズが読取装置の読取サイズを超えている場合、読取装置による１回の読み取りでは、全ての画像を読み取ることができない。
【００３２】
そこで、分割して読み取った記録用紙におけるそれぞれの画像のデータを、前記トンボを利用して位置決めし、合成する。
【００３３】
これにより、合成のためだけに、合成基準用マーク等を付与する必要がなくなり、作業効率が向上する。また、合成基準用マーク等を付与した場合、印刷には不要な情報であるため、発信元へ返送してしまうと、この不要な情報に起因して印刷に誤植を発生させる場合があったが、本第４の発明では、不要の情報は一切存在しないため、誤植の防止にもつながる。
【００３４】
さらに、分割された原稿は、確実に元の画像として復活することができ、例えば、発信元への送信の際には、１回の送信で済む。
【００３５】
上記第４の発明において、前記印刷基準用のトンボが、画像の四隅角部及び各辺の中央部に対応して付与されるようになっており、前記四隅角部のトンボが原稿の傾きを調整する指針として適用され、前記中央部のトンボが原稿の天地左右方向を調整する指針として適用されることを特徴としている。
【００３６】
トンボは、原稿の四隅角部と各辺の中央部とに設けられており、四隅角部のトンボを原稿の傾きを調整する指針として用いる。一方、中央部のトンボを原稿の天地左右方向を調整する指針として用いる。
【００３７】
これにより、合成の精度を高めることができる。
【発明の効果】
【００３８】
以上説明した如く本発明では、読取装置の読取サイズの限度を超えた原稿を複数回で読み取って合成する場合に、当該合成専用のマーカーの付与をなくすことで作業効率を向上させ、かつ、発信元へ不要な情報が送信されることを防止することができるという優れた効果を有する。
【発明を実施するための最良の形態】
【００３９】
図１には、本実施の形態に適用した校正システム１０の概略構成が示されている。
【００４０】
この校正システム１０は、複数のネットワークユーザー１２が、ネットワーク接続されている。
【００４１】
なお、校正システム１０では、ネットワークユーザー１２のそれぞれに構内ＬＡＮ（ローカルエリアネットワーク）等のネットワークが形成されていても良く、また、ネットワークユーザー１２同士を接続するネットワークとしては、公衆ネットワーク（インターネット）に限らず、専用のネットワークを適用することもでき、このときに、伝送するデータ量等に応じて課金する従量制ネットワークなどを適用することができる。
【００４２】
ネットワークユーザー１２は、例えば、原稿作成及び作成した原稿に基づいた印刷処理を行う印刷会社など（以下、区別するときには印刷会社１２Ａとする）及び、印刷会社１２Ａへ原稿の作成／修正及び印刷処理を依頼する発注者（以下、区別するときには発注者１２Ｂ、１２Ｃとする）を適用できる。
【００４３】
印刷会社１２Ａには、少なくとも、各種のアプリケーションを用いてページレイアウト等の印刷用の画像（原稿）を形成可能とする画像処理端末１４及び、各種の画像データに基づいた印刷処理を行うプリンタ１６が接続されたプリントサーバ１８が含まれている。
【００４４】
なお、印刷会社１２Ａには、画像処理端末１４によって作成した画像データに基づいて印刷用の刷版を作成するために感光性平版印刷版等を直接露光するプレートセッターや、感光性平版印刷版への画像焼付（露光）に用いる原稿フィルムを露光する露光装置等が設けられていても良い。
【００４５】
発注者１２Ｂ、１２Ｃ等には、少なくとも、印刷会社１２Ａから伝送される画像データに応じた印刷処理を行うプリンタ２０と、原稿等に記録された画像を読み込んで画像データを生成する画像読取装置（スキャナ）２２を含んでおり、これらがサーバ２４に接続している。また、発注者１２Ｂ、１２Ｃには、各種の画像処理を行う画像処理端末２６が含まれていても良い。
【００４６】
なお、発注者１２Ｂ、１２Ｃでは、プリンタ２０とスキャナ２２を一体にした複合機を設けても良く、また、サーバ２４に替えて画像処理端末２６によってプリンタ２０やスキャナ２２の作動を制御するものであっても良い。また、校正システム１０では、画像処理端末１４、２６として、パーソナルコンピュータやワークステーションなどの従来公知の画像処理端末を用いることができる。
【００４７】
図２には、発注者１２Ｂ、１２Ｃに設けているサーバ２４の概略構成を示している。サーバ２４は、ＣＰＵ２８、チップセット３０、メインメモリ３２を備え、ＣＰＵ２８によって画像処理を含む各種の処理及びサーバ２４の作動を制御する一般的構成となっている。
【００４８】
また、サーバ２４は、複数のバス３４Ａ、３４Ｂ、３４Ｃがブリッジ３６を介して接続しており、バス３４Ａには、チップセット３０と共に、ＨＤＤ３８、ネットワークカードなどの通信インターフェイス（通信Ｉ／Ｆ４０）が接続している。
【００４９】
また、サーバ２４には、ＣＲＴ又はＬＣＤなどのモニタが表示デバイス４２として設けられ、キーボード及びマウスなどが入力デバイス４４として設けられている。表示デバイス４２は、ビデオカード４６を介してバス３４Ａに接続され、入力デバイス４４は、入力デバイスインターフェイス（入力デバイスＩ／Ｆ）４８を介してバス３４Ｂに接続されており、これにより、サーバ２４では、各種の情報や画像の表示と、表示情報や画像に対する処理指示などの入力操作が可能となっている。
【００５０】
なお、サーバ２４は、ＣＤ−ＲＯＭドライブ５０やＦＤドライブ５２が設けられて、ＣＤ−ＲＯＭやＦＤからのデータの読込み等が可能となっている。また、サーバ２４は、ＣＤやＤＶＤなどの各種の記憶メディアへのデータの入出力が可能なドライブを含んでいても良い。
【００５１】
一方、サーバ２４には、画像処理部５４、画像メモリ５６及び周辺機器インターフェイス（周辺機器Ｉ／Ｆ５８）が設けられており、これらがバス３４Ｃに接続している。
【００５２】
周辺機器Ｉ／Ｆ５８には、プリンタ２０及びスキャナ２２が接続しており、サーバ２４では、周辺機器Ｉ／Ｆ５８を介して、プリンタ２０への印刷データの出力及び、スキャナ２２からの画像データの読込み可能となっている。
【００５３】
すなわち、サーバ２４では、画像処理端末２６等から印刷ジョブ（画像データ）が入力されると、画像処理部５４で、この印刷ジョブに基づいた画像処理を行って印刷データを生成し、この印刷データをプリンタ２０へ出力することにより、印刷ジョブに応じた印刷処理が実行されるようにしている。
【００５４】
また、サーバ２４では、スキャナ２２によって原稿に記録された画像を読み込んで生成された画像データが入力されると、画像処理部３４でこの画像データに対して所定の処理を行い、ＨＤＤ３８への保存や、画像処理端末２６等への出力を行う。また、サーバ２４では、スキャナ２２によって読み込んだ画像データに基づいて印刷データを生成して、プリンタ２０へ出力することにより、原稿に記録された画像の複写が可能となっている。
【００５５】
なお、このようなサーバ２４は、従来公知の一般的構成を適用でき、例えば、パーソナルコンピュータ（ＰＣ）に所定機能のＰＣＩボード等を追加することにより構成可能となっている。
【００５６】
一方、サーバ２４は、他の画像処理端末２６との間のデータ交換のみならず、他のネットワークユーザー１２の画像処理端末１４、２６や、プリントサーバ１８、サーバ２４等との間のデータ交換が可能となっている。
【００５７】
このように構成されている校正システム１０では、印刷会社１２Ａの画像処理端末１４によって作成したページレイアウトなどの画像データに対する校正処理を行うときに、画像データを発注者１２Ｂないし発注者１２Ｃのプリンタ２０（サーバ２４）へ伝送して、プリンタ２０で印刷出力することにより、校正用の原稿（カラープルーフ）として発注者１２Ｂないし発注者１２Ｃの校正者に渡すことができる。
【００５８】
また、校正システム１０では、校正用の原稿（校正前原稿）に赤入れ等によって校正指示を書き込むなどして形成された校正原稿を、印刷会社１２Ａに校正指示として戻すときには、この校正原稿を、スキャナ２２によって読み込んで校正指示用の画像データを生成し、この校正指示用の画像データを、印刷会社１２Ａのプリントサーバ１８ないし画像処理端末１４へ伝送するようにしている。
【００５９】
ここで、発注者１２Ｂ又は１２Ｃが、印刷会社１２Ａから校正前の原稿６０（図３（Ａ）参照）を受信すると、この校正前の原稿６０の周囲に朱書き校正用の余白６２が形成されるサイズの記録用紙６４（図３（Ｂ）参照）でプリントするようになっている。従って、校正前原稿６０の画像サイズがＡ３である場合、プリントされる記録用紙６４のサイズはＡ３ノビサイズ（１３×１８）となる（以下、このＡ３ノビサイズを含む、Ａ３サイズ以上のサイズを総称して、「Ａ３超サイズ」という）。
【００６０】
前記余白６２には、印刷時の基準となるトンボ６６が付与されるようになっている。また、この余白６２は、発注者１２Ｂ、１２Ｃが朱書き等（図３（Ｃ）参照）で校正するスペースとして利用される。
【００６１】
また、トンボ６６は、原稿６０の四隅の角部と、図３（Ｂ）の縦辺の中央部に対応して設けられている。
【００６２】
この場合、発注者１２Ｂ、１２Ｃのシステムの一部として構成されているプリンタ２０（図２参照）は、Ａ３超サイズをプリントすることが可能である。
【００６３】
一方、発注者１２Ｂ又は１２Ｃのシステムの一部として構成されているスキャナ２２（図２参照）は、読取サイズに限度がある（読取限界）。一般には、最大読取サイズがＡ３サイズ（ＪＩＳ規格）であり、それ以上のサイズは特注或いは高額であるため、このＡ３サイズが最大読取サイズであることを認識したシステムが必要となる。
【００６４】
ところが、上記のように校正前原稿自体がＡ３サイズであると、プリントされる記録用紙６４のサイズはＡ３超サイズとなり、校正後原稿をスキャナ２２で読み取って、印刷会社１２Ａへ返送することができない事態が生じる。
【００６５】
そこで、本実施の形態では、Ａ３超サイズの校正後原稿を複数回（Ａ３ノビサイズであれば、２回）に分割して読み取り、読み取った分割画像を合成して送信するようにしている。このような、分割読取→合成送信という手段は、従来からも実行されている技術であるが、本実施の形態の特徴は、合成のための基準を、あえて設けない点にある。
【００６６】
すなわち、分割された原稿を合成するためには、何らかの位置決め基準が必要であり、これに対して本実施の形態では、この位置決め基準として、トンボ６６を利用している。
【００６７】
図４は、発注者１２Ｂ、１２Ｃが所有するサーバ３４における画像処理部５４（図２参照）での分割原稿の合成処理手順を機能的に示したブロック図を示している。
【００６８】
画像処理部５４には、スキャナ動作回数制御部１００が設けられている。このスキャナ動作回数制御部１００には、ユーザーインターフェイスの一部として設定された分割読取指示部１０２が接続されている。なお，分割読取指示部１０２は、スキャナ２２を動作させるドライバのソフトの一部としてモニタ４２上に表示する指定画面であり、入力デバイス４４によるモニタ４２の画面上の操作であってもよい。
【００６９】
ここで、分割読取指示部１０２では、読取原稿がＡ３超サイズである場合、発注者１２Ｂ、１２Ｃは、この分割読取指示部１０２を操作して、分割読取を行うことを指示する。
【００７０】
スキャナ動作回数制御部１００では、この分割読取指示部１０２からの指示に基づいて、バス３４Ｃ、周辺機器Ｉ／Ｆ５８を介して、スキャナ２２の動作回数を制御する。
【００７１】
例えば、２分割画像の場合、図３（Ｄ）に示される如く、上部画像６４Ｕと下部画像６４Ｌとに分割して読み取られ、四隅のトンボ６６は、図３（Ｄ）の上辺の両端のトンボ６６と、下辺の両端のトンボ６６とに振り分けられ、当該上辺及び下辺の中央部のトンボ６６も固有のものとなる。
【００７２】
これに対して、一対の縦辺の中央部のトンボ６６は、上部画像６４Ｕ及び下部画像６４Ｌのそれぞれに共通となる。
【００７３】
また、周辺機器Ｉ／Ｆ５８には、バス３４Ｃを介して分割読取画像データ一時格納部１０４が接続されており、分割読取した１画像分の画像データが、区分されて一時的に格納されるようになっている。
【００７４】
スキャナ動作回数制御部１００は、分割画像データ読出部１０６に接続されており、スキャナ動作回数制御部１００から分割画像データ読出部１０６へ分割画像読取が終了（例えば、２分割であれば、２回の読み取りが終了）した時点で、読出信号を送出する。
【００７５】
分割画像データ読出部１０６では、上記読出信号を受けると、分割読取画像データ一時格納部１０４から分割画像データを順次読み出し、トンボ検出部１０８へ送出する。
【００７６】
トンボ検出部１０８では、読み出した分割画像データからトンボ６６の位置を検出し、トンボ位置座標データ格納部１１０に格納する。
【００７７】
トンボ位置座標データ格納部１１０は、トンボ位置照合部１１２に接続されている。このトンボ位置照合部１１２には、スキャナ動作回数制御部１００から読取終了信号が入力されるようになっており、この読取終了信号の入力をトリガとして、トンボ位置座標データ格納部１１０からトンボ位置座標データを読み出す。
【００７８】
トンボ位置照合部１１２は、図３（Ｄ）に示す上部画像６４Ｕと下部画像６４Ｌのそれぞれのトンボ位置に基づき、相対位置関係を解析し、当該解析情報を画像合成部１１４へ送出するようになっている。
【００７９】
画像合成部１１４には、前記分割画像データ読出部１０６で読み出した分割画像データが入力されるようになっており、当該分割画像データ（上部画像６４Ｕと下部画像６４Ｌ）を合成する（図３（Ｅ）参照）。
【００８０】
これにより、合成後の画像（校正後画像６４Ｉ）は、Ａ３サイズよりも大きい校正後原稿のサイズとなる。画像合成部１１４で合成した画像データは、合成画像記憶処理部１１６へ送出され、画像メモリ５６に記憶され、印刷会社１２Ａへの送信を待つ。
【００８１】
以下に本実施の形態の作用を説明する。
【００８２】
ここで、図５を参照しながら校正システム１０での校正処理を説明する。
【００８３】
図５には、校正システム１０での校正処理作業の流れを示しており、校正システム１０では、ユーザー１２Ｂ、１２Ｃ側からユーザー１２Ａ側に印刷処理を依頼する。ユーザー１２Ａ側では、印刷処理の依頼を受けると画像処理端末１４で印刷用の原稿を作成する。
【００８４】
この後に、校正システム１０では、ユーザー１２Ａ側が作成した印刷用の原稿に対して、印刷処理を依頼したユーザー１２Ｂ、１２Ｃ側から校正を受ける。このときに、元の原稿の画像データを、ユーザー１２Ａの画像処理端末１４から、ユーザー１２Ｂ側ないしユーザー１２Ｃ側のサーバ２４へ印刷ジョブとして伝送する（ステップ１３０）。
【００８５】
サーバ２４は、印刷ジョブを受信すると、印刷処理を実行し、プリンタ２０を用いて画像データに応じた画像を記録紙７０に形成し（ステップ１３２）。これにより、ユーザー１２Ｂないしユーザー１２Ｃは、校正に用いる元の原稿７０（カラープルーフ）を受け取ることができる。なお、印刷用の原稿の画像データは、印刷ジョブとしてサーバ２４に伝送せず、画像処理端末２６へ伝送し、画像処理端末２６から印刷出力するものあってもよい。
【００８６】
ユーザー１２Ｂないしユーザー１２Ｃ側では、校正に用いる原稿７０を得ると、この原稿７０に校正指示７６を書き込むことにより、校正原稿７４を作成する（ステップ１３４）。
【００８７】
校正処理を行うときには、校正内容に応じて設定されている色の筆記具を用いる。例えば、誤記等に対する文章の修正を行うときには、文章（文字）の訂正用に設定されている色（例えば赤色）の筆記具を用いて書込みを行い、オブジェクトの色を変更するときには、色の訂正用に設定されている色（例えば青色）の筆記具を用いて行う。
【００８８】
また、校正者が必要に応じて原稿７０にメモ書き等を行うときには、それに対して設定されている色（例えば黒色）の筆記具を用いる。
【００８９】
このように、校正システム１０では、校正に用いる色ごとに属性を設定しており、サーバ２４には、色ごとの属性情報が記憶されており、また、校正作業には、属性に応じた色の筆記具が用いられる。
【００９０】
校正システム１０では、校正作業が終了して校正原稿７４が作成されると、校正原稿７４に書き込んだ校正指示を、ユーザー１２Ｂ、１２Ｃからユーザー１２Ａへ伝送する。すなわち、元の原稿７０と校正原稿７４から校正指示データを作成し（ステップ１３６）。作成した校正指示データを、ユーザー１２Ａへ伝送する（ステップ１３８）ことにより、印刷用の原稿に対する校正指示を行う。
【００９１】
これにより、ユーザー１２Ａ側で校正指示データを受け取って、校正指示データの校正指示に基づいて原稿の修正が行われる（ステップ１４０）。
【００９２】
次に、校正前の原稿６０、すなわち、印刷会社１２Ａから送られてきた原稿画像６０の周囲に余白６２を設け、かつトンボ６６を付与し、プリンタ２０で印刷する場合、記録用紙６４がＡ３超サイズ（スキャナ２２で１回で読み取ることができないサイズ）となったとき、朱書き等で修正を加えた校正後の原稿を印刷会社１２Ａに返信する場合についての分割読取並びに合成のための手順を、図６のフローチャートに従い説明する。
【００９３】
ステップ１５０では、分割読取指示があったか否かが判断され、否定判定の場合は、スキャナ２２により、１回で読み取ることができると判断し、このルーチンは実行しない。
【００９４】
また、ステップ１５０では肯定判定されると、ステップ１５２へ移行して分割読取数Ｎを認識する。この認識は、分割読取指示の際に併せて分割数を指定すればよい。
【００９５】
次のステップ１５４では、読取回数を示す変数ｎを「１」にセットし、次いでステップ１５６へ移行して、スキャナ２２に対して、第ｎ回の読取開始を指示する。
【００９６】
次のステップ１５８では、第ｎ回の分割読取画像データを記憶し、ステップ１６０へ移行する。
【００９７】
ステップ１６０では、読取回数ｎが分割数Ｎとなったか（ｎ＝Ｎ）否か（ｎ＜Ｎ）が判断され、否定判定された場合には、ステップ１６２へ移行して、上記工程を繰り返す。すなわち、分割数が２回の場合は、上記工程は２回繰り返される。
【００９８】
また、ステップ１６０で肯定判定されると、分割読取が終了したと判断され、ステップ１６４へ移行して、読取回数ｎを「１」にセットし、ステップ１６６へ移行する。
【００９９】
ステップ１６６では、第ｎ回の分割画像データを読み出し、次いでステップ１６８へ移行して読み出した分割画像データのトンボ６６の位置を検出する。検出したトンボ６６の位置は、ステップ１７０において、座標データとしてトンボ位置座標データ格納部１１０に記憶され、ステップ１７２へ移行する。
【０１００】
ステップ１７２では、分割画像読出回数ｎが分割数Ｎとなったか（ｎ＝Ｎ）否か（ｎ＜Ｎ）が判断され、否定判定された場合には、ステップ１７４へ移行して、上記工程を繰り返す。すなわち、分割数が２回の場合は、上記工程は２回繰り返される。
【０１０１】
また、ステップ１７２で肯定判定されると、分割読取された画像データの全てのトンボ６６の位置を検出したと判断され、ステップ１７６へ移行して、トンボ位置座標データ格納部１１０からトンボ位置座標を読み出し、次いでステップ１７８でそれぞれのトンボ６６の位置座標を照合することで、各画像の相対位置を解析する。
【０１０２】
次のステップ１８０では、全ての分割画像を読出し、次いでステップ１８２で前記相対位置関係情報に基づいて、合成処理を実行し、画像メモリ５６へ記憶する（ステップ１８４）。
【０１０３】
なお、合成するために上画像６４Ｕと下画像６４Ｌとは重複した領域６８（図３（Ｅ）の一点鎖線領域参照）が存在するが、この重複部分の処理としては、（１）何れか一方を適用する，（２）双方の濃度を１／２として合成する、（３）一方から他方にかけて連続的又は段階的に濃度を０〜最大として合成する、等従来の周知の合成方法を用いて、境目が目立たない状態で合成すればよい。
【０１０４】
また、スキャナ２２で分割して読み取る場合、その天地左右方向が変わる場合があるが、読み取った画像を回転させることで、一致させることができる。
【０１０５】
これにより、画像メモリ５６へ記憶された画像は、１画像であり、例えば、メール等で印刷会社１２Ａへ返信する場合、１回の送信で済む。また、印刷会社１２Ａ側では、受け取った原稿（校正後原稿）に校正に不要な情報が含まれていないため、発注者１２Ｂ又は１２Ｃの要求どおりの校正を確実に行うことができ、誤植等の発生を抑制することができる。
【０１０６】
言い換えれば、従来は、合成のためだけに必要な位置決め用のマーカーが不要されていたため、印刷会社１２Ａ側では、この位置決め用のマーカーを意味が不明となり、校正作業に支障をきたしていた。これに対して、本実施の形態では、トンボ６６を利用して、合成処理を実行するようにしたため、印刷会社１２Ａ側に不要な情報を送信することがない。
【０１０７】
さらに、発注者１２Ｂ又は１２Ｃ側においても、別途、合成のためだけの位置決め用のマーカーを付与する作業が必要なくなり、作業効率を向上することができる。
【０１０８】
以上説明したように本実施の形態では、スキャナ２２で１回で読み取ることができない読取限界を超えたサイズの原稿を分割して読み取って、後で合成する場合の基準として、必ず付与されるトンボ６６を基準として分割したて読み取った画像を合成するようにしたため、改めて合成のためだけのマーカーを付与する必要がなくなり作業効率が向上すると共に、印刷会社１２Ａ側へ不要な情報を送信することがないため、誤植の抑制につながる。
【図面の簡単な説明】
【０１０９】
【図１】本実施の形態に適用した校正システムが適用されるネットワークの概略図である。
【図２】校正システムに適用するサーバの一例を示す概略校正図である。
【図３】印刷会社から送られてくる原稿が発注者側で処理されている過程を示す概念図である。
【図４】サーバーにおける分割読取・合成処理制御のための機能ブロック図である。
【図５】校正システムでの校正処理の流れを示すフローチャートである。
【図６】分割読取・合成処理制御の流れを示すフローチャートである。
【符号の説明】
【０１１０】
１０    校正システム
１２        ネットワークユーザー
１２Ａ    印刷会社
１２Ｂ、１２Ｃ    発注者
２０    プリンタ（印刷装置）
２２    スキャナ（読取装置）
２４    サーバ
３４Ｃ    バス３４Ｃ
３８    ＨＤＤ
４２    モニタ
４４    入力デバイス
５４    画像処理部（トンボ付与手段、印刷制御手段）
５６    画像メモリ
５８    周辺機器Ｉ／Ｆ
６０    原稿
６２    余白
６４    記録用紙
６４Ｕ    上部画像
６４Ｌ    下部画像
６６    トンボ
１００    スキャナ動作回数制御部
１０２    分割読取指示部（分割指示手段）
１０４    分割読取画像データ一時格納部
１０６    分割画像データ読出部
１０８    トンボ検出部
１１０    トンボ位置座標データ格納部
１１３    トンボ位置照合部（合成手段）
１１４    画像合成部（合成手段）
１１６    合成画像記憶処理部
【図１】
2006094218.tif 000003
【図２】
2006094218.tif 000004
【図３】
2006094218.tif 000005
【図４】
2006094218.tif 000006
【図５】
2006094218.tif 000007
【図６】
2006094218.tif 000008